(57)【要約】【課題】第１に、消防活動に際し耐火安全性が向上し、第２に、可変型よりなるので最適な防壁形成が可能であり、第３に、軽量なので迅速な防壁形成も可能な、耐火防壁ユニットを提案する。【解決手段】この耐火防壁ユニット１は、消火活動や防災活動等の消防活動用に、設置，使用可能であると共に撤収可能である。もって、火災に対する防御壁として使用され、継続的消防活動のための経路や退路を確保せしめる。そして、前側のハニカムパネル部２と、後側のバックアップフレーム部３とを、有している。ハニカムパネル部２は、車輪１５を備えたバックアップフレーム部３に対し、取付け，取外し，交換使用可能である。そしてハニカムパネル部２は、耐火仕様よりなり、芯材のハニカムコア４の前後の開口端面に、それぞれセラミックスキン製の表面板５が接合されたサンドイッチ構造よりなる。【選択図】図１
2019042190.tif 000002
【特許請求の範囲】
【請求項１】
消防活動用に設置，使用可能であると共に、撤収可能な耐火防壁ユニットであって、火災に対する防御壁として使用され、もって継続的消防活動のための経路や退路を確保せしめ、前側のハニカムパネル部と、後側のバックアップフレーム部とを、有しており、
該ハニカムパネル部は、ハニカムコアの前後の開口端面に、それぞれセラミックスキン製の表面板が接合されたサンドイッチ構造よりなり、該バックアップフレーム部に対し、取付け，取外し，交換使用可能であり、
該バックアップフレーム部は、取付けられた該ハニカムパネル部を保持可能であり、金属製よりなり、少なくとも縦フレーム，床フレーム，車輪を備えており、
該ハニカムパネル部は、耐火仕様よりなり、芯材の該ハニカムコアの特性に基づき、軽量性と断熱性能を備えると共に、該表面板のセラミックスキンの特性に基づき、耐火性能と断熱性能を備えていること、を特徴とする耐火防壁ユニット。
【発明の詳細な説明】
【技術分野】
【０００１】
本発明は、耐火防壁ユニットに関する。すなわち、消防活動に使用される耐火防壁ユニットに関する。
【背景技術】
【０００２】
《技術的背景および従来技術》
火災現場では、熱気と濃煙のもとで、消防活動が行われる。火元からの強い火炎や高温の濃煙に耐えつつ、消防活動が行われる。消防活動として、消火活動や防災活動が行われる。
すなわち、消防士が消防ホースを保持して行う火元消火活動や、避難者の捜索，救出，避難誘導，人命救助等の防災活動が行われる。
そして、このような消防活動における装備は、消防士の耐火服等の個人装備と、消防車や消防機器等の装備とからなっている。
【発明の概要】
【発明が解決しようとする課題】
【０００３】
ところで、このような従来技術については、次の問題が指摘されていた。
消防士等の安全面に問題があった。消防士は、消火活動や防災活動等の消防活動を行うべく、火災現場の火元の建屋等に進行，接近するが、その際の経路や退路の確保に、安全上の問題が指摘されていた。
すなわち、消火活動や防災活動に際し、消防士や避難者が強い火勢や高温の濃煙に晒される危険等、火傷や人命上の問題が指摘されていた。又、強い火勢や高温の濃煙により、消火活動や防災活動の継続的遂行が安全上困難化する等、消防活動継続上の問題も指摘されていた。
【０００４】
《本発明について》
本発明の耐火防壁ユニットは、このような実情に鑑み、上記従来技術の課題を解決すべくなされたものである。
そして本発明は、第１に、消防活動に際し耐火安全性が向上し、第２に、可変型よりなるので最適な防壁形成が可能であり、第３に、軽量なので迅速な防壁形成も可能な、耐火防壁ユニットを提案することを目的とする。
【課題を解決するための手段】
【０００５】
《各請求項について》
このような課題を解決する本発明の技術的手段は、特許請求の範囲に記載したように、次のとおりである。
この耐火防壁ユニットは、消防活動用に設置，使用可能であると共に、撤収可能であり、火災に対する防御壁として使用され、もって継続的消防活動のための経路や退路を確保せしめる。そして、前側のハニカムパネル部と、後側のバックアップフレーム部とを、有している。
該ハニカムパネル部は、ハニカムコアの前後の開口端面に、それぞれセラミックスキン製の表面板が接合されたサンドイッチ構造よりなり、該バックアップフレーム部に対し、取付け，取外し，交換使用可能である。
該バックアップフレーム部は、取付けられた該ハニカムパネル部を保持可能であり、金属製よりなり、少なくとも縦フレーム，床フレーム，車輪を備えている。
該ハニカムパネル部は、耐火仕様よりなり、芯材の該ハニカムコアの特性に基づき、軽量性と断熱性能を備えると共に、該表面板のセラミックスキンの特性に基づき、耐火性能と断熱性能を備えていること、を特徴とする。
【０００６】
《作用等について》
本発明は、このような手段よりなるので、次のようになる。
（１）火災現場では、消火活動，防災活動等の消防活動が行われる。
（２）そして消防活動は、火元からの強い火災や高温の濃煙のもとで行われる。
（３）本発明の耐火防壁ユニットは、このような消防活動に際し、防御用として設置，使用される。
（４）もって、前側の強い火災や高温の濃煙は遮断，阻止され、後側の消防士や避難者には及ばない。
（５）もって消防士は、火元の建屋等に進行，接近する際、経路や退路が確保され、消防活動を継続可能となる。
（６）ところで、この耐火防壁ユニットは、ハニカムパネル部が、車輪を備え走行可能なバックアップフレーム部に対し、取付け，取外し，交換使用可能であり、可変型よりなる。もって、設置，使用が簡単容易であり、防壁形成が最適に可能である。
（７）又、この耐火防壁ユニットは、複数枚を横並び等で展開，使用することも可能であり、もってこの面からも、可変型よりなり、設置，使用が簡単容易であり、防壁形成が最適に可能である。
（８）更に、この耐火防壁ユニットは、ハニカムパネル部のハニカムコアが極めて軽量であり、全体的にも軽量化されている。もって、迅速な設置，移動，防壁形成が可能である。
（９）そこで、本発明に係る耐火防壁ユニットは、次の効果を発揮する。
【発明の効果】
【０００７】
《第１の効果》
第１に、消防活動に際し、耐火安全性が向上する。
本発明の耐火防壁ユニットは、火災に対する防御壁として設置，使用される。もって、消防士が消防活動を行うべく、火元の建屋等に進行，接近する際、その経路や退路が安全に確保されるようになる。
すなわち、この耐火防壁ユニットにて、強い火炎や高温の濃煙が遮断，阻止されるので、消防士や避難者について、火傷や人命上の危険が回避され、安全性が向上する。又、強い火勢や高温の濃煙により、消防活動の継続的遂行が困難化することも回避され、安全に消防活動を継続可能となる。
【０００８】
《第２の効果》
第２に、可変型よりなるので、最適な防壁形成が可能である。
本発明の耐火防壁ユニットは、ハニカムパネル部が、バックアップフレーム部に取付け，取外し，交換使用可能であり、バックアップフレーム部は走行可能である等、可変型よりなり、設置，使用が簡単容易であり、最適な防壁形成が可能である。
又、この耐火防壁ユニットは、１枚での使用のみならず、複数枚を例えば横並びで展開，設置，使用することも可能であり、この面でも可変型として、最適な防壁形成が可能である。
【０００９】
《第３の効果》
第３に、軽量なので迅速な防壁形成が可能である。
本発明の耐火防壁ユニットは、ハニカムパネル部のハニカムコアが極めて軽量であり、全体的にも軽量化されており、迅速な設置，使用が可能、そして防壁形成が可能である。
このように、この種従来技術に存した課題がすべて解決される等、本発明の発揮する効果は、顕著にして大なるものがある。
【図面の簡単な説明】
【００１０】
【図１】本発明に係る耐火防壁ユニットについて、発明を実施するための形態の説明に供し、（１）図は、構成説明図（側面図）であり、（２）図は、実施例１の説明図（背面図）である。
【図２】同発明を実施するための形態の説明に供し、（１）図は、実施例２の説明図（背面図）である。（２）図は、ハニカムコアの斜視図である。
【発明を実施するための形態】
【００１１】
以下、本発明について、図面を参照して詳細に説明する。
《本発明の概要》
まず、本発明の概要については、次のとおり。
本発明の耐火防壁ユニット１は、消防活動用に設置，使用可能であると共に、撤収可能である。もって、火災に対する防御用の壁として使用され、継続的消防活動のための経路や退路を確保せしめる。
そして、前側のハニカムパネル部２と、後側のバックアップフレーム部３とを、有しており、ハニカムパネル部２は、バックアップフレーム部３に対し取付け，取外し，交換使用可能である。
本発明の概要については、以上のとおり。以下、このような本発明の耐火防壁ユニット１について、更に詳述する。
【００１２】
《ハニカムパネル部２について》
まず、この耐火防壁ユニット１のハニカムパネル部２について、図１を参照して説明する。
ハニカムパネル部２は、ハニカムコア４の前後の開口端面に、それぞれセラミックスキン製の表面板５が接合されたサンドイッチ構造よりなり、バックアップフレーム部３に対し、取付け，取外し，交換使用可能である。
そしてハニカムパネル部２は、耐火仕様よりなり、芯材のハニカムコア４の特性に基づき、軽量性と断熱性能を備えると共に、表面板５のセラミックスキンの特性に基づき、耐火性能と断熱性能を備えている。
【００１３】
このようなハニカムパネル部２について、更に詳述する。芯材であるハニカムコア４は、セル壁６にて区画形成された、中空柱状の多数のセル７の平面的集合体よりなる（図２の（２）図を参照）。もってハニカムコア４は、重量比強度に優れ、軽量であると共に、セル軸方向８の圧縮強度，剛性，剪断強度に優れる、等の特性を備えている。
更に、ハニカムパネル部２として使用された場合は、平面精度，断熱性，保温性，遮音性等にも優れる、という特性も備えている。ハニカムパネル部２は、ハニカムコア４の各セル７の両開口端面のセル壁６に、それぞれ表面板５が接着，その他により接合されたサンドイッチ構造よりなる。
ハニカムコア４は、アルミ，その他の金属製やアラミド繊維，その他の他の繊維製よりなる。表面板５は、セラミックスキン製よりなり、その特性上、１，０００℃程度の高温に対しても、耐火性能や断熱性能を備えている。
【００１４】
そこでハニカムパネル部２は、ハニカムコア４の特性に基づき、軽量性と断熱性能を備えている。又、表面板５のセラミックスキンの特性に基づき、耐火性能と断熱性能を備えている。
そしてハニカムパネル部２は、バックアップフレーム部３に対し、取付け，取外し可能である。火災現場における使用により損傷，変形する場合もあり、カートリッジ式に交換使用も可能である。このようにハニカムパネル部２は、取付け，取外し，交換使用可能な可変型よりなり、もって耐火防壁ユニット１全体も、設置，使用，移動等が簡単容易である。
ハニカムパネル部２のバックアップフレーム部３に対する取付け，取外し方式は、各種可能である。図示例では、ハニカムパネル部２の底板に設けた嵌合受部と、バックアップフレーム部３の床フレーム９前端部に設けた嵌合部とが、嵌合可能となっている。もってハニカムパネル部２は、バックアップフレーム部３の床フレーム９前端部上に取付けられて、立設，保持，使用される。
ハニカムパネル部２については、以上のとおり。
【００１５】
《バックアップフレーム部３について》
次に、耐火防壁ユニット１のバックアップフレーム部３について、図１を参照して説明する。
バックアップフレーム部３は、取付けられたハニカムパネル部２を保持可能であり、金属製よりなる。図示例では、天井フレーム１０，縦フレーム１１，床フレーム９，斜めフレーム１２，筋かいフレーム１３，横フレーム１４，車輪１５等を備えている。
【００１６】
このようなバックアップフレーム部３について、更に詳述する。床フレーム９は、内部がリブ等で補強された鋼板製，その他の金属製のパネルよりなる。
そして床フレーム９の前端部に、前述したようにハニカムパネル部２に対する嵌合部が設けられており、前端部上にハニカムパネル部２が立設，保持されている。図示例では、このようにしてハニカムパネル部２が、バックアップフレーム部３に取付け，立設，保持されている。
又、床フレーム９には、図１の（２）図の例では、左右２本の縦フレーム１１が立設されており、縦フレーム１１の上端部に、天井フレーム１０が取付けられている。天井フレーム１０は、縦フレーム１１上端部から片持構造で、ハニカムパネル部２上に突設されている。縦フレーム１１や天井フレーム１０は、後側や上側からハニカムパネル部２を必要に応じサポートする。
筋かいフレーム１３や横フレーム１４は、縦フレーム１１やハニカムパネル部２のサポートのために設けられている。斜めフレーム１２は、ショックアブソーバよりなり、火災現場における使用に際し受けた衝撃荷重を、吸収，緩衝すべく、床フレーム９後端部と縦フレーム１１上端部間に、それぞれ配されている。
【００１７】
ところで、このようなバックアップフレーム部３について、所定のフレーム間を相互間で、使用時に取付け可能かつ不使用時に折畳み可能な、可変型の組付け構造としておくと、耐火防壁ユニット１全体の設置，使用，移動等がより簡単容易化される。
さて、バックアップフレーム部３の床フレーム９下には、車輪１５が設けられている。もって、ハニカムパネル部２が取付けられたバックアップフレーム部３そして耐火防壁ユニット１は、全体的に走行可能な可変型よりなり、その設置，使用，移動等が簡単容易である。
バックアップフレーム部３については、以上のとおり。
【００１８】
《他の構成について》
本発明の耐火防壁ユニット１は、図１に示した基本的実施例１のほか、更に、次のように構成することも可能である。
第１に、この耐火防壁ユニット１は、１枚での単独使用のみならず、２枚，３枚と複数枚を、例えば横並びで展開使用することも、勿論可能である。
第２に、そのような複数枚の展開使用の１例として、図２の（１）図に示した実施例２のように構成することも、可能である。
すなわち、複数枚の耐火防壁ユニット１を、予め順に連結すると共に、重ねて準備しておく。そして使用に際し、必要枚を雨戸のように引き出して、例えば横並びで展開使用するようにしてもよい。図示例では、３枚の耐火防壁ユニット１が、このように用いられている。
【００１９】
第３に、電動アシスト部を付設すると、この耐火防壁ユニット１の運用性等が、一段と向上する。
例えば、上述した図２の（１）図の実施例において、予め重ねられて連結，準備されていた複数枚の耐火防壁ユニット１を、使用に際し展開，設置する際に、電動アシスト機能が付加されると、操作性，運用性，迅速性等が向上する。
又例えば、図１や図２の（１）図の実施例において、バックアップフレーム部３の車輪１５について、電動アシスト機能を付加すると、走行性，運用性，迅速性等が向上する。
第４に、ハニカムパネル部２は、前述したようにカートリッジ式にて交換使用可能であるが、これを、防弾，防爆仕様のものにカートリッジ交換することも可能である。これにより、耐火防壁ユニット１を防衛装備用に転用することができる。
他の構成については、以上のとおり。
【００２０】
《作用等》
本発明の耐火防壁ユニット１は、以上説明したように構成されている。そこで以下のようになる。
（１）火災現場では、消火活動や防災活動等の消防活動が行われる。すなわち、消防士Ａによる消火活動や、避難者Ｂの捜索，救出，避難誘導，人命救助等の防災活動が行われる。
【００２１】
（２）そして、消防活動は、熱気と濃煙のもとで行われる。火元からの強い火炎Ｃや高温の濃煙に耐えつつ、消防活動は行われる。
【００２２】
（３）このような消防活動に際し、本発明の耐火防壁ユニット１が、防御用として設置，使用される。
すなわち耐火防壁ユニット１は、ハニカムパネル部２が、耐火仕様よりなり断熱性能を備えると共に、表面板５のセラミックスキンが、耐火性能と断熱性能を備えている（図１を参照）。
【００２３】
（４）もって、耐火防壁ユニット１のハニカムパネル部２により、強い火炎Ｃや高温の濃煙は遮断，阻止される。前側の火炎Ｃや高温の濃煙は、介在する耐火防壁ユニット１で遮断，阻止され、後側に位置する消防士Ａや避難者Ｂには及ばない（図１，図２の（１）図を参照）。
【００２４】
（５）そこで消防士Ａは、消防活動のため火災現場の火元の建屋等に進行，接近する際、耐火防壁ユニット１により、その経路や退路が確保される。そして、消防活動を継続することが可能となる。
【００２５】
（６）ところで、この耐火防壁ユニット１は、ハニカムパネル部２がバックアップフレーム部３に対し、取付け，取外し，交換使用可能であり、バックアップフレーム部３は車輪１５を備え走行可能である等、可変型よりなる。
もって、設置，使用が簡単容易であり、火災現場の状況に応じた防壁形成が自在に可能である。
【００２６】
（７）又、この耐火防壁ユニット１は、１枚での単独使用のみならず（図１の実施例１を参照）、２枚，３枚と複数枚を、例えば横並びで展開使用することも可能である（図２の（１）図の実施例２を参照）。
もって、この面からも可変型として、設置，使用が簡単容易であり、火災現場の状況に応じた防壁形成が自在に可能である。
【００２７】
（８）更に、この耐火防壁ユニット１は、主部材であるハニカムパネル部２の芯材のハニカムコア４が、特性上、重量比強度に優れており、極めて軽量である（図２の（２）図を参照）。
もって、全体的にも軽量化されており、迅速な設置，移動等が可能であり、迅速な防壁形成が可能である。
【符号の説明】
【００２８】
Ａ    消防士
Ｂ    避難者
Ｃ    火炎
１    耐火防壁ユニット
２    ハニカムパネル部
３    バックアップフレーム部
４    ハニカムコア
５    表面板
６    セル壁
７    セル
８    セル軸方向
９    床フレーム
１０    天井フレーム
１１    縦フレーム
１２    斜めフレーム
１３    筋かいフレーム
１４    横フレーム
１５    車輪
【図１】
2019042190.tif 000003
【図２】
2019042190.tif 000004